(57)【要約】【課題】機器内部の音響空間の密閉状態を良好に確保することができる音響機器及び電子楽器を提供する。【解決手段】基体ケース１２０にスピーカパネル１４０を組付け固定した構成を有する楽器ケースにおいて、スピーカパネル１４０は角部に、基体ケース１２０の基体側密閉枠状部２４の内面側の形状に対応した外面を有するコーナーリブ１４が設けられている。スピーカパネル１４０の角部以外では、スピーカパネル１４０内のパネル側密閉枠状部４２の内面側がパッキン１２を介して基体ケース１２０内の基体側密閉枠状部２４の外面側に密着し、スピーカパネル１４０の角部では、スピーカパネル１４０内のコーナーリブ１４の外面側がパッキン１２を介して基体ケース１２０内の基体側密閉枠状部２４の内面側に密着している。【選択図】図９
2019121865.tif 000002
【特許請求の範囲】
【請求項１】
内枠を有する第１筺体と、
角部に外枠と、前記外枠の内側に配置されたコーナーリブ部材と、を有する第２筺体と、
を備え、
前記外枠と前記コーナーリブ部材との間に前記内枠を密着させることによって、前記内枠及び前記外枠の内側に設けられた音響空間と、前記内枠の外側及び前記外枠の内側に設けられた角部空間とが仕切られていることを特徴とする音響機器。
【請求項２】
前記コーナーリブ部材から前記外枠方向に突出した突出部を有し、
前記突出部により前記内枠が押圧されて前記コーナーリブ部材と前記内枠とが密着して固定されていることを特徴とする請求項１に記載の音響機器。
【請求項３】
前記内枠は、前記音響空間の境界に沿って連続的に設けられた弾性部材を含むことを特徴とする請求項１又は２に記載の音響機器。
【請求項４】
前記コーナーリブ部材の外側形状は、前記内枠の角部内側における第１形状に応じた形状を含むことを特徴とする請求項１乃至３のいずれかに記載の音響機器。
【請求項５】
前記コーナーリブ部材は、前記第２筺体及び前記第１筺体が組み付けられている際に、前記コーナーリブ部材の強度を補強する補強部材、が設けられていることを特徴とする請求項１乃至４のいずれかに記載の音響機器。
【請求項６】
前記補強部材は、前記コーナーリブ部材の延在方向の両端側にそれぞれ設けられていることを特徴とする請求項５に記載の音響機器。
【請求項７】
前記補強部材は、前記突出部を含み、前記コーナーリブ部材の延在方向に直交する平面に沿って前記内枠の外周を押圧する密着部を有し、
前記密着部により前記内枠が押圧されて前記外枠及び前記コーナーリブ部材に密着して固定されていることを特徴とする請求項５又は６に記載の音響機器。
【請求項８】
前記第２筐体は、前記音響空間内に、前記第１筐体と前記第２筐体とを前記弾性部材を介して密着させて組み付けるための複数の組付部と、前記複数の組付部の両側にそれぞれ配置されている支持部材と、を有し、
前記補強部材は、前記複数の組付部のなかのいずれかの組付部の片側の支持部材として共用されていることを特徴とする請求項５乃至７のいずれかに記載の音響機器。
【請求項９】
前記第１筐体に発音部が組み付けられており、
前記音響空間は、前記発音部から放出された音波が反響する空間であることを特徴とする請求項１乃至８のいずれかに記載の音響機器。
【請求項１０】
音高を指定するための操作子と、
内枠を有する第１筺体と、
角部に外枠と、前記外枠の内側に配置されたコーナーリブ部材と、を有する第２筺体と、
を備え、
前記外枠と前記コーナーリブ部材との間に前記内枠を密着させることによって、前記内枠及び前記外枠の内側に設けられた音響空間と、前記内枠の外側及び前記外枠の内側に設けられた角部空間とが仕切られていることを特徴とする電子楽器。
【発明の詳細な説明】
【技術分野】
【０００１】
本発明は、音響機器及び電子楽器に関する。
【背景技術】
【０００２】
従来、バスレフ構造や密閉構造を採用する電子楽器やスピーカ等の音響機器においては、特許文献１等に記載されているように、上ケースと下ケースとを備え、上ケース内に取り付けられたスピーカの側部を取り囲む枠状の上仕切板が設けられ、上仕切板に対向する下ケース内にスピーカの側部を取り囲む枠状の下仕切板が設けられ、これら上仕切板と下仕切板とによって密閉された音響空間であるスピーカ収容部を形成するように構成されたものが知られている。
【先行技術文献】
【特許文献】
【０００３】
【特許文献１】特開平０５−２４１５７４号公報
【発明の概要】
【発明が解決しようとする課題】
【０００４】
特許文献１に記載されたような密閉型の音響空間（スピーカ収容部）を備えた構造を有する音響機器においては、例えば製品のデザインや内部に設けられる部材のレイアウト、製造技術上の制約等に起因して、上ケースと下ケースの形状が異なり相互の仕切板を対向する位置に配置することができない場合があり、音響空間の密閉状態を良好に確保することができなくなるという問題を有している。
【０００５】
そこで、本発明は、上述したような課題に鑑みて、機器内部の音響空間の密閉状態を良好に確保することができる音響機器及び電子楽器を提供することを目的とする。
【課題を解決するための手段】
【０００６】
本発明に係る音響機器は、
内枠を有する第１筺体と、
角部に外枠と、前記外枠の内側に配置されたコーナーリブ部材と、を有する第２筺体と、
を備え、
前記外枠と前記コーナーリブ部材との間に前記内枠を密着させることによって、前記内枠及び前記外枠の内側に設けられた音響空間と、前記内枠の外側及び前記外枠の内側に設けられた角部空間とが仕切られていることを特徴とする。
【発明の効果】
【０００７】
本発明によれば、機器内部の音響空間の密閉状態を良好に確保することができる。
【図面の簡単な説明】
【０００８】
【図１】本発明に係る音響機器及び電子楽器の一実施形態である電子鍵盤楽器を示す全体図である。
【図２】一実施形態に係る電子鍵盤楽器に適用される基体ケースの一例を示す概略図である。
【図３】一実施形態に係る電子鍵盤楽器に適用されるスピーカパネルの一例を示す概略図である。
【図４】一実施形態に係る電子鍵盤楽器に適用されるスピーカパネルの要部を示す詳細図である。
【図５】一実施形態に係る電子鍵盤楽器の組付け方法の一例を示す概略図（その１）である。
【図６】一実施形態に係る電子鍵盤楽器の組付け方法の一例を示す概略図（その２）である。
【図７】一実施形態に係る電子鍵盤楽器の組付け方法の一例を示す概略図（その３）である。
【図８】一実施形態に係る電子鍵盤楽器の基体ケースに適用されるパッキンの一例を示す概略図である。
【図９】一実施形態に係る電子鍵盤楽器の組付け状態における密閉構造を示す概略図（その１）である。
【図１０】一実施形態に係る電子鍵盤楽器の組付け状態における密閉構造を示す概略図（その２）である。
【図１１】一実施形態に係る電子鍵盤楽器の組付け状態における密閉構造を示す概略図（その３）である。
【図１２】一実施形態に係る電子鍵盤楽器において画定される音響空間を示す概略図である。
【発明を実施するための形態】
【０００９】
以下、本発明に係る音響機器及び電子楽器を実施するための形態について、図面を参照しながら詳しく説明する。本実施形態においては、本発明に係る音響機器及び電子楽器の一例として、電子鍵盤楽器（電子キーボード）を示して説明する。
【００１０】
＜電子鍵盤楽器＞
図１は、本発明に係る音響機器及び電子楽器の一実施形態である電子鍵盤楽器を示す全体図である。図２は、本実施形態に係る電子鍵盤楽器に適用される基体ケースの一例を示す概略図であり、図３は、本実施形態に係る電子鍵盤楽器に適用されるスピーカパネルの一例を示す概略図であり、図４は、本実施形態に係る電子鍵盤楽器に適用されるスピーカパネルの要部を示す詳細図である。
【００１１】
図１に示すように、本実施形態に係る電子鍵盤楽器１００は、大別して、鍵盤ユニット１１０が組み込まれた基体ケース１２０と、スピーカ１３０が組み込まれ、スピーカグリル１５０に覆われたスピーカパネル１４０と、表示部１７０や操作スイッチ類１８０が設けられたセンタパネル１６０と、からなる楽器ケースを有している。
【００１２】
基体ケース１２０は、図２に示すように、図面左右方向に長い箱状を有し、図面上側が開放された構造を有している。この基体ケース１２０内の図面下側の側面（以下、「前側部」と記す）に沿った領域には、図１に示したように、音高を指定する白鍵及び黒鍵が図面左右方向に配列された周知の鍵盤ユニット１１０が搭載される鍵盤搭載部２２が設けられている。
【００１３】
また、基体ケース１２０内の図面上側の側面（以下、「後側部」と記す）の左右両端部には、図２に示すように、後述する音響空間１０を画定する基体側密閉枠状部２４がそれぞれ設けられている。また、基体ケース１２０内の後側部における左右の基体側密閉枠状部２４間の領域には、電池収納部２６が設けられている。
【００１４】
ここで、基体側密閉枠状部２４は、それぞれ図２に示すように、基体ケース１２０の後側部及び左右両端部の外縁部に沿って連続して延在する外周側枠部２４ａと、基体ケース１２０内の鍵盤搭載部２２の境界部及び電池収納部２６の境界部に沿って連続して延在する内部側枠部２４ｂとを有している。これらの外周側枠部２４ａ及び内部側枠部２４ｂにより基体ケース１２０内における音響空間１０の全周が取り囲まれている。
【００１５】
また、基体側密閉枠状部２４の外周側枠部２４ａ及び内部側枠部２４ｂの上端部（基体ケース１２０の開放端側；音響空間の境界）には、パッキン（図示を省略；詳しくは後述する）が全周に亘って設けられ、当該基体側密閉枠状部２４にパッキンを介して左右のスピーカパネル１４０が密着するように組み付けられる。ここで、基体ケース１２０内の左右の基体側密閉枠状部２４の近傍には、スピーカパネル１４０を組付け固定するためのネジ挿入用穴を備えたパネル組付けボス２８が複数設けられている。
【００１６】
スピーカパネル１４０は、図３（ａ）、（ｂ）に示すように、内部にスピーカ１３０、ツイータ３２及びバスレフポート３４が設けられ、基体ケース１２０の後側部の左右両端部に配置されている。また、スピーカパネル１４０は、基体ケース１２０の基体側密閉枠状部２４及び鍵盤ユニット１１０の両側部に対応した形状を有して基体ケース１２０上に取り付けられている。また、スピーカパネル１４０の内部には、図３（ｂ）に示すように、スピーカパネル１４０内における音響空間１０を画定するパネル側密閉枠状部４２が基体ケース１２０の基体側密閉枠状部２４に対応する形状を有して設けられている。
【００１７】
ここで、パネル側密閉枠状部４２は、図３（ｂ）に示すように、スピーカパネル１４０の図面上側の側面（後側部）及び右側（又は、左側）の外縁部に沿って連続して延在する外周側枠部４２ａと、スピーカパネル１４０内の鍵盤搭載部２２の境界部及び電池収納部２６の境界部とに沿って連続して延在する内部側枠部４２ｂとを有している。
【００１８】
また、スピーカパネル１４０は、例えば製品のデザインや内部に設けられる部材のレイアウト、金型成形技術上の制約等に起因して、パネル側密閉枠状部４２が基体ケース１２０の基体側密閉枠状部２４の形状に対応していない箇所（例えば、角部）においては、上記のパネル側密閉枠状部４２に加えて、別個の密閉用部材が設けられている。
【００１９】
具体的には、スピーカパネル１４０のパネル側密閉枠状部４２の外周側枠部４２ａが、例えば図４（ａ）の右上、又は、図４（ｂ）に示すように、略直角状に急峻に屈折する形状の角部を有しているのに対し、基体ケース１２０の基体側密閉枠状部２４の対応箇所（角部）の形状が、例えば後述する図８の左上に示すように、所定の半径の円弧状又は曲線状の角部を有して緩やかに屈曲しているものとする。この場合、本実施形態においては、スピーカパネル１４０の当該角部の外周側枠部４２ａよりも内側に、密閉用部材としてコーナーリブ１４が設けられている。
【００２０】
図４（ａ）、（ｂ）に示すコーナーリブ１４は、スピーカパネル１４０の内側の底面（スピーカ１３０の取付け面に相当する）から図面上方の開放端方向に向かって、外周側枠部４２ａに略並行に独立して延在するとともに、開放端側から平面視した場合の外側（角部の外周側枠部４２ａ側の面）の形状が、基体ケース１２０の基体側密閉枠状部２４の角部内側の形状（第１形状）に対応して、緩やかな円弧状又は曲線状を有している。
【００２１】
また、コーナーリブ１４は、図４（ｂ）に示すように、平面視して円弧状を有する形状の延在方向（又は、パッキンの延在方向）の両端部に設けられ、外周側枠部４２ａの内面側に略直角に接続された補強リブ１６ａ、１６ｂを有している。これらの補強リブ１６ａ、１６ｂには、図４（ｂ）や後述する図９（ｂ）等に示すように、コーナーリブ１４と外周側枠部４２ａとの間に、スピーカパネル１４０を基体ケース１２０に組み付けた際に、基体ケース１２０の基体側密閉枠状部２４の上端部に設けられたパッキンに対して、コーナーリブ１４の延在方向（又は、パッキンの延在方向）に直交する平面に沿ってパッキンの外周を押圧して喰い込むように密着する切り欠き状の密着部１８が設けられている。特に、密着部１８の一部は、コーナーリブ１４の外側の面から外周側枠部４２ａ方向に突出した突出部１８ａを有することにより、基体ケース１２０に組み付けた際に、基体側密閉枠状部２４のパッキンが押圧されて、円弧状を有するコーナーリブ１４の外側の面に沿って密着した状態で固定される。
【００２２】
これにより、コーナーリブ１４及び補強リブ１６ａ、１６ｂは、スピーカパネル１４０の内側に独立して延在するコーナーリブ１４の構造強度を高めるとともに、基体ケース１２０にスピーカパネル１４０が組み付けられた楽器ケースの角部において、コーナーリブ１４の内側の音響空間１０と、コーナーリブ１４の外側であって、楽器ケースの外部の空間に繋がる、後述する角部空間２０とを仕切って、楽器ケース内部の音響空間１０を画定する役割を有している（後述する図１０（ａ）、（ｂ）、図１１、図１２等参照）。なお、スピーカパネル１４０を基体ケース１２０に組み付けた際の密閉構造については、詳しく後述する。
【００２３】
ここで、これらのコーナーリブ１４や補強リブ１６ａ、１６ｂは、スピーカパネル１４０を樹脂成形する場合には、外周側枠部４２ａや底面等の他の部材と一体的に成形される。また、コーナーリブ１４及び補強リブ１６ａ、１６ｂは、音響空間１０と楽器ケースの外部に繋がる角部空間２０とを仕切るため、空気の通過を伴う貫通孔や溝を有さないように設計されている。
【００２４】
このように、本実施形態においては、スピーカパネル１４０は、パネル側密閉枠状部４２の外周側枠部４２ａ及び内部側枠部４２ｂと、角部に設けられるコーナーリブ１４及び補強リブ１６ａ、１６ｂとによりスピーカパネル１４０内における音響空間１０の全周が取り囲まれている。
【００２５】
すなわち、パネル側密閉枠状部４２の外周側枠部４２ａ及び内部側枠部４２ｂ、角部に設けられるコーナーリブ１４は、基体ケース１２０の基体側密閉枠状部２４の上端部の形状に対応するように設けられ、パッキンを介して基体ケース１２０とスピーカパネル１４０とが密着するように組み付けられる。
【００２６】
ここで、左右のスピーカパネル１４０内のパネル側密閉枠状部４２の近傍には、基体ケース１２０に設けられた複数のパネル組付けボス２８の位置に対応するように、ネジ穴を備えたパネル組付けボス３８が複数設けられている。また、図３（ｂ）、図４（ａ）、（ｂ）に示すように、各パネル組付けボス３８の近傍には、スピーカパネル１４０の筐体強度を高めるための一対の補強リブ４０が、例えばパネル側密閉枠状部４２の外周側枠部４２ａや内部側枠部４２ｂに接続された形状を有して一体的に設けられている。このパネル組付けボス３８及び補強リブ４０は、スピーカパネル１４０を基体ケース１２０に組み付けた際に、コーナーリブ１４を含むスピーカパネル１４０の角部における筐体強度を高めるため、コーナーリブ１４の近傍に設けられる。或いは、図４（ａ）、（ｂ）に示すように、コーナーリブ１４の一端側に設けられた補強リブ１６ｂが、角部近傍に設けられたパネル組付けボス３８に近接して設けられる一対の補強リブ４０のうちの一方と共用されている。
【００２７】
スピーカグリル１５０は、図１に示すように、スピーカパネル１４０の上面側に設けられ、スピーカパネル１４０から露出するスピーカ１３０及びツイータ３２の発音面を保護する。スピーカグリル１５０は、概略、後述する図６に示すように、メッシュ状の音孔が設けられたグリル本体５２の外周部５４において、例えばグリル本体５２に対して垂直方向に突出する複数の突起部５６を有している。
【００２８】
＜電子鍵盤楽器の組付け方法＞
次に、上述した構成を有する電子鍵盤楽器の組付け方法について説明する。ここでは、上述した電子鍵盤楽器における組付け方法に加え、本実施形態に特有の音響空間の密閉構造についても説明する。
【００２９】
図５〜図７は、本実施形態に係る電子鍵盤楽器の組付け方法の一例を示す概略図である。ここで、図５は、スピーカパネルへのスピーカの組付け方法を示す概略図であり、図６は、スピーカパネルへのスピーカカバー及びスピーカグリルの組付け方法を示す概略図であり、図７は、スピーカグリルの組付け方法の具体例を示す概略図である。また、図８は、本実施形態に係る電子鍵盤楽器の基体ケースに適用されるパッキンの一例を示す概略図であり、図９〜図１１は、本実施形態に係る電子鍵盤楽器の組付け状態における密閉構造を示す概略図である。ここで、図９は、スピーカパネルにおけるパッキンの密着状態の一例を示す概略図であり、図１０は、スピーカパネルにおけるパッキンの密着状態の他の例を示す概略図であり、図１１は、スピーカパネルにおけるパッキンの密着状態を基体ケース側から矢視した図である。図１２は、本実施形態に係る電子鍵盤楽器において画定される音響空間を示す概略図である。
【００３０】
本実施形態に係る電子鍵盤楽器の組み付け方法は、まず、 図５（ａ）、（ｂ）に示すように、スピーカパネル１４０内のスピーカ搭載部にスピーカ１３０を実装しネジ固定する。次いで、図６に示すように、スピーカ１３０が取り付けられたスピーカパネル１４０の上面側（発音面側）にスピーカカバー５０をネジ固定した後、スピーカグリル１５０を取り付ける。
【００３１】
具体的には、図３（ｂ）、図５（ｂ）、図６に示すように、スピーカパネル１４０は、スピーカグリル１５０の突起部５６の位置に対応するように、スピーカパネル１４０の部材を貫通して設けられた複数の取付け穴４４、４６有している。そして、スピーカグリル１５０の各突起部５６を当該取付け穴４４、４６に挿入し、スピーカパネル１４０の内部に露出した各突起部５６の先端側をねじって変形（以下、「ねじれ変形」と記す）させることにより、スピーカグリル１５０がスピーカパネル１４０に取り付け固定される。
【００３２】
ここで、スピーカパネル１４０に設けられる取付け穴４４が、内部に設けられる音響空間に繋がる貫通孔を有している場合には、図７（ａ）〜（ｃ）に示すように、スピーカパネル１４０の内部に露出した突起部５６に対して、シリコン等の樹脂材料からなる弾性部材５８を装着することにより、取付け穴４４と突起部５６との間に弾性部材５８を介在させる。次いで、図７（ｄ）に示すように、突起部５６の先端側をねじれ変形させることにより、取付け穴４４内部で弾性部材５８が変形して、突起部５６の表面及び取付け穴４４の内面に密着して貫通孔である取付け穴４４が塞がれるとともに、スピーカグリル１５０がスピーカパネル１４０に係止されて取付け固定される。
【００３３】
なお、スピーカパネル１４０に設けられる取付け穴４４、４６の周囲に、図７（ａ）〜（ｄ）に示すように、突起部５６の挿入方向（図７（ａ）では上方向、図７（ｂ）では下方向）に突出する肉厚部からなる穴リブ４８を設けることにより、筐体強度を高めることができるとともに、取付け穴４４と突起部５６との間に弾性部材５８を広範囲で密着させて取付け穴４４を略完全に塞ぐことができる。
【００３４】
また、スピーカグリル１５０の突起部５６に弾性部材５８を装着してスピーカパネル１４０に取付け固定することにより、取付け穴４４を音響空間に貫通する位置に配置した場合であっても、音響空間の密閉性を確保することができるので、スピーカグリル１５０の取付け位置や取付け構造の設計自由度を向上させて電子鍵盤楽器の楽器ケースの小型化に寄与することができる。
【００３５】
次いで、スピーカ１３０やスピーカグリル１５０が組み付けられたスピーカパネル１４０を、基体ケース１２０の後側部の左右両端部に取り付ける。具体的には、図８に示すように、まず、基体ケース１２０内の基体側密閉枠状部２４の上端部にパッキン１２を連続して設ける。その後、スピーカパネル１４０内のパネル側密閉枠状部４２（外周側枠部４２ａ、内部側枠部４２ｂ）及びコーナーリブ１４が、図９及び図１０に示すように、上記パッキン１２を介して、基体側密閉枠状部２４（外周側枠部２４ａ、内部側枠部２４ｂ）に密着するように組み付ける。これにより、図１２に示すように、基体ケース１２０の基体側密閉枠状部２４とスピーカパネル１４０のパネル側密閉枠状部４２及びコーナーリブ１４とにより取り囲まれた空間（図中太線内）が密閉されて音響空間１０として画定される。
【００３６】
ここで、基体ケース１２０にスピーカパネル１４０が組み付けられた状態においては、基体ケース１２０内に設けられた複数のパネル組付けボス２８と、スピーカパネル１４０内に設けられた複数のパネル組付けボス３８とがそれぞれ１対１の関係で対応し、それぞれのパネル組付けボス２８、３８の組をネジ固定することにより、基体ケース１２０にスピーカパネル１４０が組付け固定される。
【００３７】
スピーカパネル１４０を基体ケース１２０に組み付けた状態における密閉構造は、具体的には、コーナーリブ１４が設けられたスピーカパネル１４０の角部以外、すなわち、基体ケース１２０内の基体側密閉枠状部２４とスピーカパネル１４０内のパネル側密閉枠状部４２とが密着している領域においては、図９（ａ）、（ｂ）に示すように、基体ケース１２０内の基体側密閉枠状部２４の上端部に対して、スピーカパネル１４０のパネル側密閉枠状部４２の下端部がパッキン１２を介して対向するように押圧されて密着している。或いは、図１０（ｃ）、図１１に示すように、基体ケース１２０内の基体側密閉枠状部２４の外面側に対して、スピーカパネル１４０内のパネル側密閉枠状部４２の内面側がパッキン１２を介して対向するように押圧されて密着している。
【００３８】
ここで、上述したように、スピーカパネル１４０を基体ケース１２０に組み付ける際にネジ固定されるパネル組付けボス３８の近傍には、それぞれ一対の補強リブ４０が設けられ、コーナーリブ１４に一体的に設けられる補強リブ１６ａ、１６ｂと同様に、パッキン１２の延在方向に直交する平面に沿ってパッキン１２の外周を押圧して喰い込むように密着する切り欠き状の密着部４１が設けられている。これにより、スピーカパネル１４０を基体ケース１２０に組み付けた際に、基体側密閉枠状部２４のパッキン１２が補強リブ４０の密着部４１に押圧されて、パネル側密閉枠状部４２の内面に沿って密着した状態で固定される。
【００３９】
一方、コーナーリブ１４が設けられたスピーカパネル１４０の角部においては、図１０（ａ）、（ｂ）、図１１に示すように、基体ケース１２０内の基体側密閉枠状部２４の内面側に対して、スピーカパネル１４０内のコーナーリブ１４の外側の面がパッキン１２を介して対向するように押圧されて密着している。加えて、コーナーリブ１４の延在方向の両端部に設けられる補強リブ１６ａ、１６ｂは、コーナーリブ１４の外側の面から突出する突出部１８ａを含む切り欠き状の密着部４１が設けられている。これにより、スピーカパネル１４０を基体ケース１２０に組み付けた際に、基体側密閉枠状部２４のパッキン１２が補強リブ１６ａ、１６ｂの密着部１８及び突出部１８ａに押圧されて、コーナーリブ１４の外側の面に沿って密着した状態で固定される。
【００４０】
ここで、コーナーリブ１４及び補強リブ１６ａ、１６ｂは空気の通過を伴う貫通孔や溝を有さないように設計されていることから、基体ケース１２０の基体側密閉枠状部２４及びスピーカパネル１４０のパネル側密閉枠状部４２の内側の空間が音響空間１０として画定されるとともに、スピーカパネル１４０の角部において、コーナーリブ１４の外側であってスピーカパネル１４０のパネル側密閉枠状部４２の内側に画定される角部空間２０と、上記音響空間１０とが仕切られて密閉状態が確保される。すなわち、スピーカパネル１４０の角部の角部空間２０は、図１１に示すように、コーナーリブ１４と補強リブ１６ａ、１６ｂとスピーカパネル１４０のパネル側密閉枠状部４２とにより囲まれた空間であって、かつ、楽器ケースの外部の空間に繋がっている。
【００４１】
このように、本実施形態においては、スピーカパネル１４０を基体ケース１２０に組み付けた際に、基体ケース１２０内の基体側密閉枠状部２４の上端部に連続して設けられたパッキン１２を、スピーカパネル１４０内のパネル側密閉枠状部４２の内面側及びコーナーリブ１４の外側の面に押圧されて密着していることにより、組付けるケースの形状が異なっている場合であってもその形状に影響されることなく、楽器ケース内部の音響空間の密閉性を良好に確保することができ、音や空気の漏れ、振動音の発生を良好に防止することができる。また、この場合、コーナーリブ１４及び補強リブ１６ａ、１６ｂをスピーカパネル１４０と一体的に形成することができ、別途部品を用意してケースに取り付ける必要がないので、部品点数及び作業工数の増加や、製品コストの上昇を招くことなく簡易な構成で音響空間の密閉性を良好に確保することができる。
【００４２】
また、コーナーリブ１４と一体的に補強リブ１６ａ、１６ｂを設けることにより、スピーカパネル１４０の角部の筐体強度を高めることができ、音響空間の密閉性を良好に確保することができる。また、コーナーリブ１４の近傍に、基体ケース１２０とスピーカパネル１４０とを組付け固定するためのパネル組付けボス３８及び補強リブ４０を設けることにより、或いは、コーナーリブ１４の近傍のパネル組付けボス３８の補強リブ４０を、コーナーリブ１４の補強リブ１６ａ、１６ｂとして共用することにより、基体ケース１２０とスピーカパネル１４０とを組付けた際に、角部の筐体強度をさらに高めることができ、音響空間の密閉性を良好に確保することができる。
【００４３】
なお、上述した実施形態においては、本発明に係る機器ケースを備えた音響機器の一例として、電子鍵盤楽器（電子キーボード）を示して説明したが、これに限定されるものではなく、電子楽器の他、スピーカ単体やオーディオ装置等に適用するものであってもよい。
【００４４】
以上、本発明のいくつかの実施形態について説明したが、本発明は、上述した実施形態に限定されるものではなく、特許請求の範囲に記載された発明とその均等の範囲とを含むものである。
以下に、本願出願の当初の特許請求の範囲に記載された発明を付記する。
【００４５】
（付記）
［１］
内枠を有する第１筺体と、
角部に外枠と、前記外枠の内側に配置されたコーナーリブ部材と、を有する第２筺体と、
を備え、
前記外枠と前記コーナーリブ部材との間に前記内枠を密着させることによって、前記内枠及び前記外枠の内側に設けられた音響空間と、前記内枠の外側及び前記外枠の内側に設けられた角部空間とが仕切られていることを特徴とする音響機器。
【００４６】
［２］
前記コーナーリブ部材から前記外枠方向に突出した突出部を有し、
前記突出部により前記内枠が押圧されて前記コーナーリブ部材と前記内枠とが密着して固定されていることを特徴とする請求項１に記載の音響機器。
【００４７】
［３］
前記内枠は、前記音響空間の境界に沿って連続的に設けられた弾性部材を含むことを特徴とする［１］又は［２］に記載の音響機器。
【００４８】
［４］
前記コーナーリブ部材の外側形状は、前記内枠の角部内側における第１形状に応じた形状を含むことを特徴とする［１］乃至［３］のいずれかに記載の音響機器。
【００４９】
［５］
前記コーナーリブ部材は、前記第２筺体及び前記第１筺体が組み付けられている際に、当該コーナーリブ部材の強度を補強する補強部材、が設けられていることを特徴とする［１］乃至［４］のいずれかに記載の音響機器。
【００５０】
［６］
前記補強部材は、当該コーナーリブ部材の延在方向の両端側にそれぞれ設けられていることを特徴とする［５］に記載の音響機器。
【００５１】
［７］
前記補強部材は、前記突出部を含み、前記コーナーリブ部材の延在方向に直交する平面に沿って前記内枠の外周を押圧する密着部を有し、
前記密着部により前記内枠が押圧されて前記外枠及び前記コーナーリブ部材に密着して固定されていることを特徴とする［５］又は［６］に記載の音響機器。
【００５２】
［８］
前記第２筐体は、前記音響空間内に、前記第１筐体と前記第２筐体とを前記弾性部材を介して密着させて組み付けるための複数の組付部と、前記複数の組付部の両側にそれぞれ配置されている支持部材と、を有し、
前記補強部材は、前記複数の組付部のなかのいずれかの組付部の片側の支持部材として共用されていることを特徴とする［５］乃至［７］のいずれかに記載の音響機器。
【００５３】
［９］
前記第１筐体に発音部が組み付けられており、
前記音響空間は、前記発音部から放出された音波が反響する空間であることを特徴とする［１］乃至［８］のいずれかに記載の音響機器。
【００５４】
［１０］
音高を指定するための操作子と、
内枠を有する第１筺体と、
角部に外枠と、前記外枠の内側に配置されたコーナーリブ部材と、を有する第２筺体と、
を備え、
前記外枠と前記コーナーリブ部材との間に前記内枠を密着させることによって、前記内枠及び前記外枠の内側に設けられた音響空間と、前記内枠の外側及び前記外枠の内側に設けられた角部空間とが仕切られていることを特徴とする電子楽器。
【符号の説明】
【００５５】
１０      音響空間
１２      パッキン（弾性部材）
１４      コーナーリブ（コーナーリブ部材）
１６ａ、１６ｂ    補強リブ（補強部材）
１８      密着部
１８ａ    突出部
２０      角部空間
２４      基体側密閉枠状部
２４ａ    外周側枠部
２４ｂ    内部側枠部
２８、３８      パネル組付けボス
４０      補強リブ（支持部材）
４１      密着部
４２      パネル側密閉枠状部
４２ａ    外周側枠部
４２ｂ    内部側枠部
１００    電子鍵盤楽器
１２０    基体ケース（第１筺体）
１３０    スピーカ（発音部）
１４０    スピーカパネル（第２筺体）
【図１】
2019121865.tif 000003
【図２】
2019121865.tif 000004
【図３】
2019121865.tif 000005
【図４】
2019121865.tif 000006
【図５】
2019121865.tif 000007
【図６】
2019121865.tif 000008
【図７】
2019121865.tif 000009
【図８】
2019121865.tif 000010
【図９】
2019121865.tif 000011
【図１０】
2019121865.tif 000012
【図１１】
2019121865.tif 000013
【図１２】
2019121865.tif 000014